(57)【要約】【課題】座部と背もたれ部との間への手や臀部等の落ち込みを防止したマッサージ椅子を提供する。【解決手段】被施療者に施療を施す施療機構２を背もたれ部３に上下移動可能に設け、背もたれ部３を座部１の後部に隣接して配置すると共に座部１に対してリクライニング可能にしたマッサージ椅子である。座部１及び背もたれ部３の幅方向に亘る帯状部材１８を座部１と背もたれ部３との間に架設する。この帯状部材１８の一端を座部１に固定すると共に他端を背もたれ部３に固定する。【選択図】　　　　図１
2004016526.tif 000002
【特許請求の範囲】
【請求項１】
被施療者に施療を施す施療機構を背もたれ部に上下移動可能に設け、この背もたれ部を座部の後部に隣接して配置すると共に座部に対してリクライニング可能にしたマッサージ椅子において、座部及び背もたれ部の幅方向に亘る帯状部材を座部と背もたれ部との間に架設し、この帯状部材の一端を座部に固定すると共に他端を背もたれ部に固定したことを特徴とするマッサージ椅子。
【請求項２】
帯状部材を座部の下面側及び背もたれ部の前面側に沿わせて配置し、座部に対して背もたれ部が立った状態で、帯状部材を座部の座面より下方に位置させたことを特徴とする請求項１に記載のマッサージ椅子。
【請求項３】
座部に対して背もたれ部が完全に倒れた状態で、帯状部材の両固定端間の寸法と、帯状部材が固定される座部と背もたれ部との間の寸法とが略同一になるようにしたことを特徴とする請求項１に記載のマッサージ椅子。
【請求項４】
帯状部材を伸縮可能な部材で構成したことを特徴とする請求項１に記載のマッサージ椅子。
【発明の詳細な説明】
【０００１】
【発明の属する技術分野】
本発明は、マッサージ椅子に関する発明である。
【０００２】
【従来の技術】
従来から、リクライニング椅子は、図１４に示すように、座部１と、この座部１の後部に回動自在に設けた背もたれ部３とで構成されているが、この座部１と背もたれ部３との間に隙間があると、この隙間に臀部が嵌って落ち込んでしまったり、手を挿入したときには座部１や背もたれ部３の下部に手が入り込んでしまう恐れがあることから、この隙間が生じないように、座部１と背もたれ部３とはきつく当接するようにされている。
【０００３】
ところで、上記リクライニング椅子の構造は、マッサージ椅子においても適用されるものであるが、マッサージ椅子では、図１５に示すように、背もたれ部３に椅子に座った被施療者に施療を施す施療機構２が内蔵されているから、座部１と背もたれ部３との間に隙間（図中Ｓ）が生じ易いものであった。つまり、施療機構２を内蔵する背もたれ部３の構造は、背もたれ部３の上下に施療機構２をスライドさせる必要があるから、背もたれ部３の内部に上下に延びる溝状の施療機構スライド部１４が形成されており、この施療機構スライド部１４に施療機構２を収納させて施療機構２を上下に移動させ得るようにしている。この施療機構スライド部１４の表面には皮や布等のカバー材で被覆されているも、前方から押圧したときには背もたれ部３の他の部分に比べて凹み易い部位となるのである。しかして、背もたれ部３を前方から押圧したときにはこの施療機構スライド部１４の部位で、座部１と背もたれ部３との間に隙間Ｓが生じ易くなっているのである。
【０００４】
上述したように、この隙間があると、座部１と背もたれ部３との間に、手を挿入したときには座部１や背もたれ部３の下部に手が入り込んでしまったり、最悪の場合、臀部が嵌って落ち込んでしまったりする恐れがあることから、上記恐れを生じさせないようなマッサージ椅子が切望されるものであった。
【０００５】
【発明が解決しようとする課題】
本発明は上記の点に鑑みてなされたものであり、座部と背もたれ部との間への手や臀部等の落ち込みを防止したマッサージ椅子を提供することを課題とするものである。
【０００６】
【課題を解決するための手段】
上記課題を解決するために本発明に係るマッサージ椅子は、被施療者に施療を施す施療機構２を背もたれ部３に上下移動可能に設け、この背もたれ部３を座部１の後部に隣接して配置すると共に座部１に対してリクライニング可能にしたマッサージ椅子において、座部１及び背もたれ部３の幅方向に亘る帯状部材１８を座部１と背もたれ部３との間に架設し、この帯状部材１８の一端を座部１に固定すると共に他端を背もたれ部３に固定したことを特徴とする。これによると、背もたれ部３の施療機構２をスライドさせる部位が背もたれ部３の前面より押圧されて凹み、座部１と背もたれ部３との間に隙間が生じてしまった場合にも、この帯状部材１８によって、上記隙間に挿入された手や嵌って落ち込んだ臀部などを支持することができて、手や臀部が背もたれ部３や座部１の下方に落ち込むことを防止できるのである。
【０００７】
また、帯状部材１８を座部１の下面側及び背もたれ部３の前面側に沿わせて配置し、座部１に対して背もたれ部３が立った状態で、帯状部材１８を座部１の座面より下方に位置させたことも好ましい。これによると、座部１に対して背もたれ部３が立った状態では、帯状部材１８は座部１と背もたれ部３との間から露出することはなく、マッサージ椅子の外観を良好にすることができる。
【０００８】
また、座部１に対して背もたれ部３が完全に倒れた状態で、帯状部材１８の両固定端間の寸法と、帯状部材１８が固定される座部１と背もたれ部３との間の寸法とが略同一になるようにしたことも好ましい。これによると、座部１と背もたれ部３との間の寸法が最大となる座部１に対して背もたれ部３が完全に倒れた状態で、帯状部材１８が背もたれ部３のリクライニングを妨げるように突っ張らないようにできる。
【０００９】
また、帯状部材１８を伸縮可能な部材で構成したことも好ましい。これによると、帯状部材１８が背もたれ部３のリクライニングを妨げるように突っ張ることを確実に無くすることができる。
【００１０】
【発明の実施の形態】
以下、本発明を添付図面に示す実施形態に基づいて説明する。
【００１１】
マッサージ椅子は、図１に示すように、座部１と、被施療者に施療を施す施療機構２が内蔵された背もたれ部３とを有し、背もたれ部３を座部１の後部に回動自在に配置してリクライニング可能にした椅子である。なお、背もたれ部３のリクライニングは、背もたれ部３を倒す初動作時には背もたれ部３を座部１に対して上昇させると共に、初動作後には上昇した背もたれ部３をそのまま倒すようにする駆動機構４を介して行われている。以下、詳述する。
【００１２】
座部１は、マッサージ椅子の構造材である骨組躯体５の上面に設けた座部載置部上に載置される。この骨組躯体５は、図３に示すように、座部１の幅方向の両側縁に沿って前後に延びた１対の主体部６と、各主体部６の後端部分で斜め下方に屈曲した後脚部７と、各主体部６の前端部分から下方に垂設した前脚部８と、各前脚部８の上端同士を連結した上横架部９と、各前脚部８の下端同士を連結した下横架部１０と、各前脚部８の下端と各後脚部７の下端とを連結した補強部１１とで構成された剛体である。具体的に、座部載置部は、１対の主体部６と上横架部９とで囲まれた部位であって、１対の主体部６間に面状バネ１２を配設して構成されている。つまり、座部１はこの面状バネ１２の上に載置されて、面状バネ１２によるクッション性によって被施療者が快適に座部１に座り得るようにされている。なお、この座部１の幅方向の側縁には肘掛け部１３がそれぞれ設けられている（図４）。この肘掛け部１３は内部に骨組躯体５を埋設するようにして骨組躯体５に固定されている。
【００１３】
背もたれ部３は、上述したように施療機構２が内蔵されている。施療機構２は、背もたれ部３内を上下に移動可能にした施療機構本体２ａと、この施療機構本体２ａから前方に突出して被施療者の身体に押し当てて施療を施す施療子２ｂとを有して構成されており、施療機構本体２ａが背もたれ部３の上下に移動可能とし、施療子２ｂが施療機構本体２ａに対して左右方向に移動可能にしてある。具体的に、この施療機構２を内蔵する背もたれ部３の構造は、背もたれ部３の内部に上下に延びる溝状の施療機構スライド部１４が形成されており、この施療機構スライド部１４に施療機構２を収納させて施療機構２を上下に移動させ得るようにしている。なお、この施療機構スライド部１４の表面は、背もたれ部３の他の部位同様、皮や布等のカバー材で被覆されている。施療機構２の移動範囲である施療機構スライド部１４はすなわち施療範囲を構成するが、本来的にマッサージ椅子では施療範囲を大きくとることが求められ、本例のマッサージ椅子でも背もたれ部３の周縁部分を残した広範囲に施療機構スライド部１４が形成されている。そして、この広範囲の施療範囲を有する施療機構２を被施療者に有効に作用させるため、背もたれ部３は、上述した駆動機構４を介してリクライニング可能に座部１の後部に隣接して配置されている。
【００１４】
具体的に、駆動機構４は、下横架部１０と背もたれ部３の下端との間に架設した第１リンク１５と、この第１リンク１５と上横架部９との間に架設した伸縮駆動手段１６と、後脚部７の背もたれ部３より後方位置と背もたれ部３の下部位置との間に架設した第２リンク１７とで構成されている。この第１リンク１５は伸縮駆動手段１６の長手方向への伸縮駆動によって下横架部１０を回転中心として回動し得るようになっており、また、第２リンク１７は後脚部７を回転中心として回動し得るようになっている。そして、背もたれ部３が座部１に対して起立した状態では第１リンク１５及び第２リンク１７は共に上方に向って回動するようにし（図１）、背もたれ部３が座部１に対して寝かせた状態では第１リンク１５は前方に第２リンク１７は後方にそれぞれ回動するようになっている（図２）。つまり、この駆動機構４では、背もたれ部３を倒す初動作時には、第１リンク１５及び第２リンク１７の上方回動によって、背もたれ部３が座部１に対して上昇するようにされ、この背もたれ部３を倒す初動作の後には、第１リンク１５の前方回動及び第２リンク１７の後方回動によって、背もたれ部３が座部１に対して大きく倒れるようにされているのである。しかして、下端近傍に至るまでの広範囲に施療範囲を設けた背もたれ部３であっても、背もたれ部３を倒す初動作で即座に背もたれ部３の施療範囲を座部１より上方に位置させて、被施療者の身体の広範囲に施療機構２による有効な施療を施し得るようにしているのである。
【００１５】
上記駆動機構４によってリクライニングがされる背もたれ部３は、常に背もたれ部３の前面が座部１の後面に当接され、背もたれ部３と座部１との間に隙間が生じないようにされている。しかしながら、従来技術の項でも述べたように、背もたれ部３に設けた施療機構スライド部１４は、背もたれ部３の前方から押圧されると凹み易く、この凹みによって結局背もたれ部３と座部１との間に隙間が生じてしまうといった恐れを有するものである（図１５参照）。特に、本例のマッサージ椅子では施療範囲を広範囲にするために、上述した駆動機構４を採用して、背もたれ部３の下端近傍にまで押圧した場合に凹み易い施療機構スライド部１４を形成させているので、そのままでは背もたれ部３と座部１との間に隙間が生じ易くなっている。したがって、本例のマッサージ椅子では、下記の構造を採用することで、背もたれ部３と座部１との隙間の発生を防止してこの隙間による弊害を無くするようにしている。
【００１６】
つまり、一端が座部１に固定されると共に他端が背もたれ部３に固定された帯状部材１８を座部１と背もたれ部３との間に架設しているのである。この帯状部材１８は、その幅方向の寸法として座部１及び背もたれ部３の幅方向に亘る寸法を有している。ここで、この帯状部材１８の座部１及び背もたれ部３への固定位置は、特に限定されるものではないが、本例では、帯状部材１８の座部１への固定位置は、座部１の下面に設定されており、また、帯状部材１８の背もたれ部３への固定位置は、背もたれ部３の施療機構スライド部１４より下方位置に設定されている。なお、図中Ａは帯状部材１８の座部１への固定部分を示し、図中Ｂは帯状部材１８の背もたれ部３への固定部分を示している。このように、帯状部材１８を座部１と背もたれ部３との間に架設したことで、たとえ、背もたれ部３の施療機構スライド部１４の部位が背もたれ部３の前面より押圧されて凹み、座部１と背もたれ部３との間に隙間が生じてしまった場合にも、この帯状部材１８によって隙間に挿入された手や嵌って落ち込んだ臀部などを支持することができ、上記手や臀部が背もたれ部３や座部１の下方に落ち込むことを防止できるのである。背もたれ部３や座部１の下方には各種リンク１４，１６等が駆動する駆動機構４があって、この駆動機構４に誤って手などが挿入されると大変危険であるが、上記帯状部材１８を設けたことで、不慮の事故を未然に防止することができ、マッサージ椅子の安全性を高めることができるのである。
【００１７】
また、この帯状部材１８は、座部１の下面と背もたれ部３の前面とに沿うように配置されており、座部１に対して背もたれ部３が起立した状態では、帯状部材１８は座部１の座面より下方に位置されていて、帯状部材１８が外方に露出しないようにされてマッサージ椅子の外観の低下を避けており、また、座部１に対して背もたれ部３が完全に倒れた状態では、帯状部材１８の両固定端間の寸法と、帯状部材１８が固定される座部１と背もたれ部３との間の寸法とが略同一になるようにされていて、帯状部材１８が背もたれ部３のリクライニングを妨げるように突っ張らないようにされている。なお、この帯状部材１８は伸縮可能な部材で構成されても好ましく、帯状部材１８が背もたれ部３のリクライニングを妨げるように突っ張ることを無くするようにできるのである。
【００１８】
上述した本例のマッサージ椅子では、構成上、他にも種々の工夫がなされていて、使い勝手の向上が図られている。以下、詳述する。
【００１９】
まず、本例のマッサージ椅子では適所に持ち運び用の取っ手が設けられ、持ち運びを容易にするといった使い勝手の向上が図られている。図５，６に示すように、背もたれ部３の後面の幅方向の両端部に背部取っ手１９が設けられ、また、図７に示すように、両肘掛け部１３の幅方向の外側面に肘部取っ手２０が設けられている。
【００２０】
背部取っ手１９は、背もたれ部３の幅方向に亘って設けた盛上り部２８の幅方向の両端部分に凹没させた凹所１９ａで構成されている。つまり、凹所１９ａの周縁に立つ周壁１９ｂに指を引っ掛け得るようにしてある。この凹所１９ａで背部取っ手１９を構成したことで、背部取っ手１９がマッサージ椅子の幅方向に突出するようなことがなく、いたずらにマッサージ椅子の設置スペースを大きくすることがないようにされている。
【００２１】
また、肘部取っ手２０は、肘掛け部１３内に埋設した骨組躯体５の近傍に設けられている。肘部取っ手２０は、具体的には、骨組躯体５の外方に位置した肘掛け部１３の外側面に装着された、指を引っ掛ける凹所２０ａを設けた軽量部材で構成されている。この肘部取っ手２０は、１対の肘掛け部１３にそれぞれ設けられており、この１対の肘部取っ手２０を持ってマッサージ椅子を持ち上げる場合には、得てして１対の肘部取っ手２０をマッサージ椅子の幅方向の中央部分に向って挟み込むようにして行うので、肘部取っ手２０にかける荷重を骨組躯体５に分散させて荷重させることができるのである。しかして、肘部取っ手２０は軽量部材で構成させることができ、マッサージ椅子の軽量化に供することができるようになっている。
【００２２】
そして、マッサージ椅子の重心は、その幅方向にあっては、１対の背部取っ手１９の間、及び１対の肘部取っ手２０の間に位置しており、また、その前後方向にあっては、背部取っ手１９と肘部取っ手２０との間に位置しており、これにより、上記背部取っ手１９や肘部取っ手２０を持って安定した状態でマッサージ椅子を持ち上げることができるようにされている。
【００２３】
また、肘掛け部１３には、被施療者の腕が置かれる上面に操作器２１が着脱可能に設けられ、容易にマッサージ椅子の操作を行わせるといった使い勝手の向上も図られている。図８に示すように、肘掛け部１３の上面には上方に開口した扁平容器状の操作器台２２が設置され、この操作器台２２内に上方から操作器２１を嵌め込むことで、操作器２１が肘掛け部１３に着脱自在に設けられるのである。
【００２４】
この操作器台２２は、図９，１０に示すように、上方に開口した前後に長い扁平容器状のものであり、操作器台２２の開口縁には段部２３が形成されており、また、操作器台２２の後部には操作器２１より延出されたコード２４を嵌め込むコード嵌め込み部２５が形成されている。なお、図中２６は、操作器台２２に嵌め込んだ操作器２１に指を引っ掛けて外すために設けた切り欠き部である。
【００２５】
この操作器台２２には上方から操作器２１が嵌め込まれるのであるが、このときには、図１１に示すように、操作器台２２の段部２３の角部２３ａに操作器２１に設けた蓋２７が当接されながら行われるので、操作器２１を操作器台２２に嵌め込んだときには操作器２１の蓋２７は自然に閉じるようにされているのである。したがって、操作器台２２に嵌め込まれた操作器２１では蓋２７が開いた状態になることはなく、開いた蓋２７に腕などを引っ掛けて操作器２１を操作器台２２から外して落としてしまったりすることを無くしているのである。また、操作器２１を操作器台２２に嵌め込んだときには、操作器２１から延出されたコード２４がコード嵌め込み部２５に嵌め込まれて保持されるので、コード２４に腕などを引っ掛けて操作器２１を操作器台２２から外して落としてしまったりすることも無くしているのである。このように、操作器２１は肘掛け部１３に着脱自在にされているが、これは必要に応じて肘掛け部１３から操作器２１を取り外し、被施療者の手で操作器２１を持って扱えるものであり、操作器２１は使い勝手の向上が図られている。
【００２６】
また、上述した操作器２１の使い勝手を更に向上させるべく、肘掛け部１３の上面の形状等には工夫が為されている。図１２，１３に示すように、操作器２１は肘掛け部１３に装着されるが、これは被施療者が肘掛け部１３に肘をついたとき、手の部分が置かれる肘掛け部１３の上面の前部分に操作器台２２が設置され、この操作器台２２に操作器２１が嵌め込まれるようにされている。つまり、被施療者が肘掛け部１３に肘をついた場合、手の部分に操作器２１が位置し、操作器２１の使い勝手が向上しているのである。また、操作器２１が装着される肘掛け部１３の上面の前部分は、幅方向の内方且つ後方に向けて傾けて形成されている。これによると、肘掛け部１３に装着した操作器２１を幅方向の内方且つ後方に向いた状態にでき、つまり被施療者にとって操作器２１を見易い状態にすることが図られ、これによっても操作器２１の使い勝手の向上が図られているのである。
【００２７】
【発明の効果】
上記のように本発明の請求項１記載の発明にあっては、被施療者に施療を施す施療機構を背もたれ部に上下移動可能に設け、この背もたれ部を座部の後部に隣接して配置すると共に座部に対してリクライニング可能にしたマッサージ椅子において、座部及び背もたれ部の幅方向に亘る帯状部材を座部と背もたれ部との間に架設し、この帯状部材の一端を座部に固定すると共に他端を背もたれ部に固定したので、背もたれ部の施療機構をスライドさせる部位が背もたれ部の前面より押圧されて凹み、座部と背もたれ部との間に隙間が生じてしまった場合にも、この帯状部材によって、上記隙間に挿入された手や嵌って落ち込んだ臀部などを支持することができ、背もたれ部や座部の下方に手が挿入されることや臀部が落ち込むことを防止できるのであり、マッサージ椅子の安全性を高めることができるのである。
【００２８】
また、請求項２記載のの発明にあっては、請求項１の効果に加えて、帯状部材を座部の下面側及び背もたれ部の前面側に沿わせて配置し、座部に対して背もたれ部が立った状態で、帯状部材を座部の座面より下方に位置させたので、座部に対して背もたれ部が立った状態では、帯状部材は座部と背もたれ部との間から露出することはなく、マッサージ椅子の外観を良好にすることができる。
【００２９】
また、請求項３記載の発明にあっては、請求項１の効果に加えて、座部に対して背もたれ部が完全に倒れた状態で、帯状部材の両固定端間の寸法と、帯状部材が固定される座部と背もたれ部との間の寸法とが略同一になるようにしたので、座部と背もたれ部との間の寸法が最大となる座部に対して背もたれ部が完全に倒れた状態で、帯状部材が突っ張らないようにでき、つまり、帯状部材を設けても背もたれ部のリクライニングを妨げないようにできるのである。
【００３０】
また、請求項４記載の発明にあっては、請求項１の効果に加えて、帯状部材を伸縮可能な部材で構成したので、帯状部材が突っ張ることを確実に無くすることができ、つまり、帯状部材を設けても確実に背もたれ部のリクライニングを妨げないようにできるのである。
【図面の簡単な説明】
【図１】本発明の実施の形態の例を示す、肘掛け部を外した状態のマッサージ椅子の側面図である。
【図２】同上の背もたれ部を傾倒させた状態のマッサージ椅子の側面図である。
【図３】同上の座部、肘掛け部を外した状態のマッサージ椅子の斜視図である。
【図４】同上のマッサージ椅子の前方から見た斜視図である。
【図５】同上のマッサージ椅子の後方から見た斜視図である。
【図６】図５のＤ部分の拡大図である。
【図７】同上のマッサージ椅子の側面図である。
【図８】図４のＣ部分の拡大図である。
【図９】同上の操作器台を示す（ａ）は上面図であり、（ｂ）は右側面図である。
【図１０】（ａ）は図９（ａ）のＦ−Ｆ線断面図であり、（ｂ）は図９（ａ）のＧ−Ｇ線断面図である。
【図１１】（ａ）（ｂ）（ｃ）は同上の操作器台に操作器を嵌め込む際の操作器の蓋の動きを順に追って説明する説明図である。
【図１２】同上の操作器の配置位置を説明するものであって、（ａ）はマッサージ椅子の側面図であり、（ｂ）は（ａ）の上面図であり、（ｃ）は（ａ）の正面図である。
【図１３】図１２のＥ部分の拡大図である。
【図１４】従来技術の例を示すものであって、一般的なリクライニング椅子の概略側面図である。
【図１５】従来技術の他例を示すものであって、マッサージ椅子の概略側面図である。
【符号の説明】
１　座部
２　施療機構
３　背もたれ部
４　駆動機構
１３　肘掛け部
１４　施療機構スライド部
１８　帯状部材
１９　背部取っ手
２０　肘部取っ手
２１　操作器
２２　操作器台
【図１】
2004016526.tif 000003
【図２】
2004016526.tif 000004
【図３】
2004016526.tif 000005
【図４】
2004016526.tif 000006
【図５】
2004016526.tif 000007
【図６】
2004016526.tif 000008
【図７】
2004016526.tif 000009
【図８】
2004016526.tif 000010
【図９】
2004016526.tif 000011
【図１０】
2004016526.tif 000012
【図１１】
2004016526.tif 000013
【図１２】
2004016526.tif 000014
【図１３】
2004016526.tif 000015
【図１４】
2004016526.tif 000016
【図１５】
2004016526.tif 000017